(57)【特許請求の範囲】
【請求項１】
コピー回数の制限によってコピーガードが設定された動画を含む情報を記憶する記憶部と、
前記記憶部に記憶された動画を含む情報を記録媒体に記録する記録手段と、
前記記憶部に記憶された動画を含む情報から当該動画の画面転換時点における画像の特徴を示す第１の情報を抽出する第１の情報抽出手段と、
前記記録媒体に記録された情報から動画の画面転換時点における画像の特徴を示す第２の情報を抽出する第２の情報抽出手段と、
前記第１の情報と前記第２の情報とが一致するか否かを判断する判断手段と、
前記記録媒体への記録の後に、前記判断手段により前記第１の情報と前記第２の情報とが一致すると判断されたときに前記記憶部に記憶された情報の前記コピー回数を低減するコピー回数低減手段と
を具備する情報記録装置。
【請求項２】
請求項１に記載の情報記録装置であって、
前記コピー回数の制限によってコピーガードが設定された動画を含む情報は、音声も含み、
前記第１の情報抽出手段は、前記記憶部に記憶された音声も含む情報から当該音声の盛上り時点における音声の特徴を示す第３の情報を抽出し、
前記第２の情報抽出手段は、前記記録媒体に記録された情報から音声の盛上り時点における音声の特徴を示す第４の情報を抽出し、
前記判断手段は、前記第３の情報と前記第４の情報とが一致するか否かも判断し、
前記コピー回数低減手段は、前記判断手段により前記第１の情報と前記第２の情報とが一致し、かつ、前記第３の情報と前記第４の情報とが一致すると判断されたときに前記記憶部に記憶された情報の前記コピー回数を低減する
情報記録装置。
【請求項３】
請求項１に記載の情報記録装置であって、
前記記録媒体に記録された情報が再現可能でないと判断されたときに前記記憶部に記憶された情報を消去せずに保持する保持手段を更に具備する情報記録装置。
【請求項４】
請求項１に記載の情報記録装置であって、
前記記憶部に前記情報を記憶する記憶手段を更に具備し、
前記第１の情報抽出手段は、前記記憶手段が前記記憶部に前記情報を記憶している最中に、既に前記記憶部に記憶された情報から前記第１の情報を抽出する情報記録装置。
【請求項５】
請求項４に記載の情報記録装置であって、
前記第２の情報抽出手段は、前記記録手段が前記記録媒体に前記情報を記録している最中に、既に前記記録媒体に記録された情報から前記第２の情報を抽出する情報記録装置。
【請求項６】
請求項１に記載の情報記録装置であって、
前記第１の情報抽出手段は、前記画像の特徴を示す第１の情報の抽出を前記画面転換時点とは異なる時点に設定変更可能である情報記録装置。
【請求項７】
コピーガードが設定された動画を含む情報を記憶する記憶部と、
前記記憶部に記憶された動画を含む情報を記録媒体に記録する記録手段と、
前記記憶部に記憶された動画を含む情報から当該動画の画面転換時点における画像の特徴を示す第１の情報を抽出する第１の情報抽出手段と、
前記記録媒体に記録された情報から動画の画面転換時点における画像の特徴を示す第２の情報を抽出する第２の情報抽出手段と、
前記第１の情報と前記第２の情報とが一致するか否かを判断する判断手段と、
前記記録媒体への記録の後に、前記判断手段により前記第１の情報と前記第２の情報とが一致すると判断されたときに前記記憶部に記憶された情報を消去する消去手段と
を具備する情報記録装置。
【請求項８】
請求項７に記載の情報記録装置であって、
前記コピーガードが設定された動画を含む情報は、音声も含み、
前記第１の情報抽出手段は、前記記憶部に記憶された音声も含む情報から当該音声の盛上り時点における音声の特徴を示す第３の情報を抽出し、
前記第２の情報抽出手段は、前記記録媒体に記録された情報から音声の盛上り時点における音声の特徴を示す第４の情報を抽出し、
前記判断手段は、前記第３の情報と前記第４の情報とが一致するか否かも判断し、
前記消去手段は、前記判断手段により前記第１の情報と前記第２の情報とが一致し、かつ、前記第３の情報と前記第４の情報とが一致すると判断されたときに前記記憶部に記憶された情報を消去する
情報記録装置。
【請求項９】
コピー回数の制限によってコピーガードが設定された動画を含む情報を記憶部に記憶し、
前記記憶部に記憶された動画を含む情報を記録媒体に記録し、
前記記憶部に記憶された前記情報から動画を含む情報から当該動画の画面転換時点における画像の特徴を示す第１の情報を抽出し、
前記記録媒体に記録された情報から動画の画面転換時点における画像の特徴を示す第２の情報を抽出し、
前記第１の情報と前記第２の情報とが一致するか否かを判断し、
前記記録媒体への記録の後に、前記第１の情報と前記第２の情報とが一致すると判断されたときに前記記憶部に記憶された情報の前記コピー回数を低減する
情報記録方法。
【請求項１０】
請求項９に記載の情報記録方法であって、
前記コピー回数の制限によってコピーガードが設定された動画を含む情報は、音声も含み、
さらに
前記記憶部に記憶された音声も含む情報から当該音声の盛上り時点における音声の特徴を示す第３の情報を抽出し、
前記前記記録媒体に記録された情報から音声の盛上り時点における音声の特徴を示す第４の情報を抽出し、
前記第３の情報と前記第４の情報とが一致するか否かも判断し、
前記第１の情報と前記第２の情報とが一致し、かつ、前記第３の情報と前記第４の情報とが一致すると判断されたときに前記記憶部に記憶された情報の前記コピー回数を低減する
情報記録方法。
【発明の詳細な説明】
【技術分野】
【０００１】
本発明は、情報記録装置、情報記録システムおよび情報記録方法に関する。
【背景技術】
【０００２】
従来、コピーガードが施されたコンテンツをメディア間で移動（ムーブ）するときには、メディア間での移動時に両者が満たすべき規格（電波産業会（Association of Radio Industries and Businesses）で定められたＡＲＩＢ規格）が満たされているかどうか、一連のシステムとしての動作が完了したかどうか、などを、データの移動が完了したかどうかの判断の基準としている。これらの判断の基準を満たしたときに、コンテンツのデータが記録元から記録先に移動した（移動完了）と判断している。例えば、記録元から記録先にデータを記録した後、記録元のデータを消去することでデータの移動を完了している（例えば、特許文献１参照）。  
【特許文献１】特開２００２−２９０９０５号公報（段落[００２３]）
【発明の開示】
【発明が解決しようとする課題】
【０００３】
しかしながら、上記の技術では、メディアであるディスクの不良やハードウェアの不良などでディスクに正しくコンテンツのデータを記録することができないまま上述した基準に基づき移動が完了したとみなし、記録元のデータが削除されてしまうことがあり得る、という問題がある。
【０００４】
また、データを記録先のディスクに記録した後に記録先のデータが再生可能かどうかを判断する場合には、記録先のデータが再現可能かどうかを判断する必要があるが、適切な判断基準が設定されているわけではない。
【０００５】
以上のような事情に鑑み、本発明の目的は、コピーガードが設定された情報を確実に記録媒体に記録可能な情報記録装置、情報記録システムおよび情報記録方法を提供することにある。
【課題を解決するための手段】
【０００６】
上記事案に鑑み、本発明に係る情報記録装置は、コピーガードが設定された情報を記憶する記憶部と、前記記憶部に記憶された前記情報を記録媒体に記録する記録手段と、前記記憶部に記憶された前記情報から該情報の特徴を示す第１の情報を抽出する第１の情報抽出手段と、前記記録媒体に記録された情報から該情報の特徴を示す第２の情報を抽出する第２の情報抽出手段と、前記第１の情報と前記第２の情報とを比較し一致するか否かに基づき、前記記録媒体に記録された情報が再現可能であるか否かを判断する判断手段と、前記記録媒体に記録された情報が再現可能であると判断されたときに前記記憶部に記憶された情報を消去する消去手段とを具備する。
【０００７】
コピーガード設定により、例えば記憶部から記録媒体にデータをコピーするときに規制がかけられる。コピーガード設定により、例えば、「Copy Free」（コピー自由）」「Copy Once（一度だけコピー可能）」などのモードが設定される。
【０００８】
本発明では、記憶部に記憶されているコピーガードが設定された情報を記録手段により記録媒体に記録し、記憶部から抽出された第１の情報と記録媒体から抽出された第２の情報とを比較手段により比較し、それぞれの特徴が一致している場合に記録媒体の情報が再現可能であると判断することができる。この結果、少なくとも特徴点について欠陥のない記録媒体を得ることができる。記録媒体の情報が再現可能であると判断されたときに記憶部に記憶された情報を消去手段により消去するので、情報を確実に記録媒体に記録（移動）することができる。
【０００９】
前記第１の情報は、時系列に並べられた各盛上り時点の情報を含む第１の音声情報と、時系列に並べられた各画面転換時点の情報を含む第１の画像情報とを含み、前記第２の情報は、前記各盛上り時点に対応する各盛上り時点の情報を含む第２の音声情報と、前記各画面転換時点に対応する各画面転換時点の情報を含む第２の画像情報とを含む。
【００１０】
盛上り時点および画面転換時点は、例えば盛上りが発生した時刻や画面が転換した時刻の情報であるタイムスタンプ情報に基づき判断手段により判断される。
【００１１】
これにより、記憶部に記憶された各盛上り時点の第１の音声情報と記録媒体に記録された各盛上り時点の第２の音声情報とが一致しているか否かを判断し、記憶部に記憶された各画面転換時点の第１の画像情報と記録媒体に記録された各画面転換時点の第２の画像情報とが一致しているか否かを判断することで、記録媒体に記録された情報を再現可能であるか否かを判断することができる。
【００１２】
前記記録媒体に記録された情報が再現可能でないと判断されたときに前記記憶部に記憶された情報を消去せずに保持する保持手段を更に具備する。
【００１３】
これにより、記録媒体に記録された情報が再現可能でないと判断されたときに記憶部に記憶された情報を消去せずに保持し、再び情報を記憶部から記録媒体に移動することができる。
【００１４】
前記記憶部へ前記情報を記憶する記憶手段を更に具備し、前記第１の情報抽出手段は、前記記憶手段が前記記憶部に前記情報を記憶している最中に、既に前記記憶部に記憶された情報から前記第１の情報を抽出する。
【００１５】
これにより、記憶部への情報の記憶を開始してから第１の情報を抽出するまでにかかる時間を短縮することができる。
【００１６】
前記第２の情報抽出手段は、前記記録手段が前記記録媒体に前記情報を記録している最中に、既に前記記録媒体に記録された情報から前記第２の情報を抽出する。
【００１７】
これにより、記録媒体への情報の記録を開始してから第２の情報を抽出するまでにかかる時間を短縮することができる。
【００１８】
前記第１の音声情報は、前記各盛上り時点とは異なる音声情報に設定変更可能であり、前記第１の画像情報は、前記各画面転換時点とは異なる画像情報に設定変更可能である。
【００１９】
これにより、移動する情報の内容に応じて情報から抽出する特徴を変更し、記録媒体に記録された情報と記憶部に記憶された情報とを確実に比較することができる。
【００２０】
本発明の別の観点に係る情報記録装置は、コピーガードが設定された情報を記憶する記憶部と、前記記憶部に記憶された前記情報を記録媒体に記録する記録手段と、前記記憶部に記憶された前記情報から該情報の特徴を示す第１の情報を抽出する第１の情報抽出手段と、前記記録媒体に記録された情報から該情報の特徴を示す第２の情報を抽出する第２の情報抽出手段と、前記第１の情報と前記第２の情報とを比較し一致するか否かに基づき、前記記録媒体に記録された情報が再現可能であるか否かを判断する判断手段と、前記記録媒体に記録された情報が再現可能であると判断されたときに前記記憶部に記憶された情報の再生回数を低減する手段とを具備する。
【００２１】
本発明では、それぞれの特徴点を比較し一致するか否かを判断するので、一致したと判断したときに、少なくとも特徴点について欠陥のない記録媒体を得ることができる。記録媒体の情報が再現可能であると判断されたときに記憶部に記憶された情報の再生回数を低減する手段により再生回数を低減するので、情報を確実に記録媒体に記録（移動）することができる。
【００２２】
本発明に係る情報記録システムは、コピーガードが設定された情報が記憶された情報記録装置から記録媒体に情報を記録する情報記録システムであって、前記情報を記憶する記憶部と、前記記憶部に記憶された前記情報を前記記録媒体に記録する記録手段と、前記記憶部に記憶された前記情報から該情報の特徴を示す第１の情報を抽出する第１の情報抽出手段と、前記記録媒体に記録された情報から該情報の特徴を示す第２の情報を抽出する第２の情報抽出手段と、前記第１の情報と前記第２の情報とを比較し一致するか否かに基づき、前記記録媒体に記録された情報が再現可能であるか否かを判断する判断手段と、前記記録媒体に記録された情報が再現可能であると判断されたときに前記記憶部に記憶された情報を消去する消去手段とを具備する情報記録装置と、前記記録手段により記録され、前記第２の情報抽出手段により抽出される前記第２の情報が記録された前記記録媒体とを具備する。
【００２３】
本発明では、記憶部に記憶されているコピーガードが設定された情報を記録手段により記録媒体に記録し、第１の情報抽出手段により記憶部から抽出された第１の情報と第２の情報抽出手段により記録媒体から抽出された第２の情報とを比較手段により比較し、それぞれの特徴が一致している場合に記録媒体の情報が再現可能であると判断することができる。この結果、少なくとも特徴点について欠陥のない記録媒体を得ることができる。記録媒体の情報が再現可能であると判断されたときに記憶部に記憶された情報を消去手段により消去するので、情報を確実に記録媒体に記録（移動）することができる。
【００２４】
前記第１の情報は、時系列に並べられた各盛上り時点の情報を含む第１の音声情報と、時系列に並べられた各画面転換時点の情報を含む第１の画像情報とを含み、前記第２の情報は、前記各盛上り時点に対応する各盛上り時点の情報を含む第２の音声情報と、前記各画面転換時点に対応する各画面転換時点の情報を含む第２の画像情報とを含む。
【００２５】
本発明に係る情報記録方法は、コピーガードが設定された情報を記憶部に記憶し、前記記憶部に記憶された前記情報を記録媒体に記録し、前記記憶部に記憶された前記情報から該情報の特徴を示す第１の情報を抽出し、前記記録媒体に記録された情報から該情報の特徴を示す第２の情報を抽出し、前記第１の情報と前記第２の情報とを比較し一致するか否かに基づき、前記記録媒体に記録された情報が再現可能であるか否かを判断し、前記記録媒体に記録された情報が再現可能であると判断されたときに前記記憶部に記憶された情報を消去する。
【００２６】
前記第１の情報は、時系列に並べられた各盛上り時点の情報を含む第１の音声情報と、時系列に並べられた各画面転換時点の情報を含む第１の画像情報とを含み、前記第２の情報は、前記各盛上り時点に対応する各盛上り時点の情報を含む第２の音声情報と、前記各画面転換時点に対応する各画面転換時点の情報を含む第２の画像情報とを含む。
【発明の効果】
【００２７】
以上のように、本発明によれば、コピーガードが設定された情報を情報記録装置により確実に記録媒体に記録することができる。
【発明を実施するための最良の形態】
【００２８】
以下、本発明の実施の形態を図面に基づき説明する。  
図１は本発明の一実施形態に係る情報記録システムのブロック図である。  
図１に示すように、情報記録システム１は、情報記録装置２、表示装置３および記録媒体４を備えている。
【００２９】
情報記録装置２は、チューナ５、受信処理部６、ＣＰＵ７、リモコン（リモートコントローラ）受信処理部８、メモリ９、ＨＤＤ（Hard Disc Drive）１０、記録再生処理部１１、第１の特徴点記憶部１２および第２の特徴点記憶部１３を備えている。
【００３０】
チューナ５では、アナログ放送を受信する際には例えば、目的のチャンネルの信号を取り出す処理が行われ、取り出した信号を増幅する処理が行われる。またディジタル放送を受信する際には、チューナ５では、復調、エラー訂正等の処理が行われる。チューナ５において処理が行われた信号は受信処理部６に供給される。
【００３１】
受信処理部６ではチューナ５から供給される信号に対して所定の信号処理が行われる。例えば受信される放送波が地上アナログ放送である場合は、輝度信号、色差信号、音声信号を取り出す処理や、同期信号を取り出し、同期信号に基づいて映像を構築する処理が行われる。また、受信される放送波がディジタル放送である場合には、チューナ５において復調、エラー訂正、デインターリーブ等の処理がされて復号されたトランスポートストリーム（以下、ＴＳと称する）に対するデスクランブル処理が行われる。デスクランブルされたＴＳに対してデマルチプレクス（分離）処理が行われる。そしてデマルチプレクス処理により分離された各情報を復号するデコード処理や、Ｄ／Ａ(Digital to Analog)変換処理等が行われる。
【００３２】
受信処理部６における処理により生成されたビデオ信号は、ＣＰＵ７による制御によって表示装置３に供給される。表示装置３では情報記録装置２から供給されるビデオ信号に対して表示装置３に応じた信号処理が行われ、表示装置３に映像が表示される。また、受信処理部６における処理により生成されたオーディオ信号も同様にして表示装置３に供給されて図示しないスピーカから再生される。
【００３３】
ＣＰＵ７は例えばマイクロプロセッサにより実現され、情報記録装置２の各部を制御する。また、後述するように例えばＨＤＤ１０に記憶されたコンテンツを記録媒体４に移動（ムーブ）するときに、ＨＤＤ１０に記憶されたコンテンツから特徴点を抽出し第１の特徴点記憶部１２に記憶し、後述するように記録媒体４に記録されたコンテンツの特徴点を抽出し第２の特徴点記憶部１３に記憶し、これらの特徴点を比較し、記録媒体４に記録されたコンテンツが再生可能かどうかを確認し、確認した結果に応じた制御を行う。
【００３４】
リモコン（リモートコントローラ）受信処理部８は、携帯操作器の一例であるリモートコントロール装置（図示しない）から送出される赤外線信号などの遠隔操作信号を復調する。そして復調処理により電気的な指示信号を生成し、生成された指示信号をＣＰＵ７に供給する。ＣＰＵ７はリモートコントローラ受信処理部８から供給される指示信号に応じた制御を実行する。
【００３５】
メモリ９は、例えばＲＯＭ(Reed Only Memory)と書き換え可能なＲＡＭ(Random Acce
ss Memory)を含む。ＲＯＭにはＣＰＵ７が実行するプログラムが格納される。また、ＲＡＭは例えばＣＰＵ７がＲＯＭに格納されたプログラムを実行する際のワークエリアとして使用される。
【００３６】
ＨＤＤ（Hard Disc Drive）１０は、放送波などを介して受信したコンテンツを記憶する。
【００３７】
記録再生処理部１１は、記録媒体４の種類に応じてＨＤＤ１０にコンテンツを記憶する処理および再生する処理を行う。
【００３８】
第１の特徴点記憶部１２は、ＨＤＤ１０に記憶されたコンテンツの特徴を示す後述する特徴点を示す第１の特徴点の情報を記憶している。
【００３９】
第２の特徴点記憶部１３は、記録媒体４に記憶されたコンテンツの特徴を示す後述する特徴点を示す第２の特徴点の情報を記憶している。
【００４０】
表示装置３は、ＣＰＵ７で処理された表示処理信号を受信し、表示画面に例えば動画を表示する。
【００４１】
記録媒体４は、例えば磁気テープ、書き換え可能な光ディスク、半導体メモリ等である。
【００４２】
図２は情報記録装置２に録画したコンテンツを記録媒体４に移動するか否かの移動確認画面を表示するための動作を説明するフローチャート、図３は図２に示す処理で表示装置３に表示された移動確認画面の図である。
【００４３】
情報記録装置２は、図示しないアンテナやチューナ５を介してコンテンツを受信しＨＤＤ１０にコンテンツを録画する（ＳＴ２０１）。
【００４４】
情報記録装置２は、録画したコンテンツに例えばＡＲＩＢ規格にのっとったコピーガード設定（コピーワンス）があるか否かを判断する（ＳＴ２０２）。情報記録装置２が録画したコンテンツは、例えば「Copy Free」（コピー（録画）自由）」「Copy Once（一度だけコピー（録画）可能）」などのコピーガード（コピープロテクト）のモードが指定されている。
【００４５】
コピーガード（コピーワンス）設定がないとき（ＳＴ２０２でＮＯ）には、図示しないコピー確認画面を表示装置３に表示する。
【００４６】
コピーガード（コピーワンス）設定があるとき（ＳＴ２０２でＹＥＳ）には、移動元であるＨＤＤ１０に記憶されたコンテンツの特徴点の抽出が完了しているか否かを判断する（ＳＴ２０３）。
【００４７】
ＨＤＤ１０に記憶されたコンテンツの特徴点の抽出が完了していない（ＳＴ２０３でＮＯ）ときには、第１の情報としてのコンテンツの後述する特徴点の情報を抽出する処理を実行しコンテンツの特徴点のデータを第１の特徴点記憶部１２に記憶する（ＳＴ２０４）。
【００４８】
ＨＤＤ１０に記憶されたコンテンツの特徴点のデータの抽出が完了した（ＳＴ２０３でＹＥＳ）ときには、図３に示す移動確認画面３Ａを表示装置３に表示し処理を終了する。
【００４９】
図４は図２のステップ２０４で実行されるコンテンツの特徴点のデータを抽出する処理の動作を説明するためのフローチャート、図５は図４のステップ４０１および４０２で得られる画像特徴点および音声特徴点のデータを示す図、図６は図４のステップ４０３で得られるＮブロックに別けられた画像特徴点および音声特徴点のデータを示す図、および図７は図４に示すフローチャートで得られた画像特徴点および音声特徴点のデータの一覧を示す図である。
【００５０】
情報記録装置２は、図４に示すように、ＨＤＤ１０に記憶されたコンテンツの画像情報から、画像情報の特徴を示す画像特徴点を抽出する（ＳＴ４０１）。
【００５１】
画像特徴点は、図５に示すように、例えば「特徴点」と「タイムスタンプ」という属性情報を含んでいる。図５は、画面転換時点ａ１が「０１：２０：００」に発生し、画面転換時点ａ２が「０２：２０：００」に発生し、画面転換時点ａ３が「０３：２０：００」に発生し、画面転換時点ａ４が「０４：２０：００」に発生したことを示している。
【００５２】
情報記録装置２は、例えば画像情報のうちの連続フレーム間の後述するカラーヒストグラムの面積の差分値が所定の閾値を超えるか否かに基づき、コンテンツの画面が転換したか否かを判断し、画面が転換したと判断したときには、そのときのタイムスタンプの情報「０１：２０：００」と共に特徴点の情報「画面転換時点ａ１」を第１の特徴点記憶部１２に記憶する。所定の閾値を超えていない場合には、連続する２フレーム間が画面転換時点ではないと判断し、時刻を記憶しない。
【００５３】
このカラーヒストグラムは、フレームの画像内のピクセルが各階調にどのように分布しているかを表すグラフであり、横軸が明るさの階調、縦軸がその頻度（ピクセル数）である。カラーヒストグラムの面積の差分値は、例えば連続フレームについてカラーヒストグラムを重ね合わせたときに差となる部分の面積の値である。
【００５４】
情報記録装置２は、ＨＤＤ１０に記憶されたコンテンツの音声情報から、音声情報の特徴を示す音声特徴点を抽出する（ＳＴ４０２）。
【００５５】
音声特徴点は、図５に示すように、例えば「特徴点」と「タイムスタンプ」という属性情報を含んでいる。図５は、盛上り時点ｂ１が「０２：２０：００」に発生し、盛上り時点ｂ２が「０３：２０：００」に発生し、盛上り時点ｂ３が「０４：２０：００」に発生し、盛上り時点ｂ４が「０８：２０：００」に発生したことを示している。
【００５６】
情報記録装置２は、例えばコンテンツの音声情報のうちの音声出力値の急変の有無に基づき、コンテンツが盛上り時点であるか否かを判断し、盛上り時点であると判断したときには、そのときのタイムスタンプの情報「０２：２０：００」と共に特徴点の情報「盛上り時点ｂ１」を第１の特徴点記憶部１２に記憶する。
【００５７】
音声出力値の急変の有無は、例えば所定の時間以上の間、所定の閾値以上の音声出力値を検出したときに、音声出力値の急変があったと判断する。
【００５８】
ステップ４０１およびステップ４０２で抽出した図５に示す画像特徴点および音声特徴点を、図６に示すようにＮ個のブロックに分割する（ＳＴ４０３）。つまり、図６に示すように、画面転換時点ａ１〜画面転換時点ａ４を第１のブロック、画面転換時点ａ５〜画面転換時点ａ８を第２のブロックなどと分割し、盛上り時点ｂ１〜盛上り時点ｂ４を第１のブロックなどと分割する。
【００５９】
図６に示す第１のブロックの画面転換時点ａ１〜ａ４から例えばランダムに図７に示す３個の画面転換時点ａ１、ａ２およびａ４を抽出する（ＳＴ４０４）。
【００６０】
同様に、図６に示す第２のブロックの画面転換時点ａ５〜ａ８から例えばランダムに図７に示す３個の画面転換時点ａ５、ａ７およびａ８を抽出する（ＳＴ４０５）。以下、同様に第３のブロックから第Ｎのブロックまで、それぞれ３個の画面転換時点の抽出を繰り返す（ＳＴ４０６など）。各ブロックから抽出される画面転換時点の数は限定されない。
【００６１】
図６に示す第１のブロックの盛上り時点ｂ１〜ｂ４から例えばランダムに図７に示す３個の盛上り時点ｂ１、ｂ２およびｂ４を抽出する（ＳＴ４０７）。
【００６２】
同様に、第２のブロックの盛上り時点から例えば３個の盛上り時点をランダムに抽出する（ＳＴ４０８）。以下、同様に第３のブロックから第Ｎのブロックまで、それぞれ３個の盛上り時点の抽出を繰り返す（ＳＴ４０９など）。各ブロックから抽出される盛上り時点の数は限定されない。
【００６３】
以上により、ＨＤＤ１０に記憶されたコンテンツから図７に示す画像特徴点および音声特徴点がコンテンツの情報の全ての時間に亘る範囲から抽出され第１の特徴点記憶部１２に記憶される。
【００６４】
図８はＨＤＤ１０に録画したコンテンツを移動（またはコピー）する処理の動作を説明するフローチャート、図９は図８のステップに対応する表示画面の図である。
【００６５】
図９（Ａ）（図３と同じ）に示す移動確認画面３Ａにおいて「はい」（ＨＤＤからディスクに移動（コピー）する）が選択されたときには、図９（Ｂ）に示すように「移動（コピー）中」を表示画面に表示し、ＨＤＤ１０に記憶されたコンテンツを記録媒体４に記録する（ＳＴ８０１）。
【００６６】
情報記録装置２は、図４に示す特徴点データ抽出処理を実行し記録媒体４に記録されているコンテンツの情報から第２の情報としての図７に示したような特徴点のデータを抽出する（ＳＴ８０２）。
【００６７】
ＨＤＤ１０からステップ２０４で抽出した図７に示すコンテンツの特徴点のデータ（移動元のデータ）と、記録媒体４からステップ８０２で抽出したコンテンツの特徴点のデータ（移動先のデータ）とを比較し（ＳＴ８０３）、一致するか否かを判断する（ＳＴ８０４）。
【００６８】
移動元のデータと移動先のデータとが一致するとき（ステップ８０４でＹＥＳ）には、移動元であるＨＤＤ１０に記憶されているコンテンツを削除し（ＳＴ８０５）、図９（Ｃ）に示す移動（コピー）が終了したことを表示するなどして処理を終了する。なお、コピーガード設定によりコピー可能回数が設定されているときには、コピー回数を減少させて、コピーの残り回数を表示するなどして処理を終了する。
【００６９】
移動元のデータと移動先のデータとが一致しないとき（ステップ８０４でＮＯ）には、情報記録装置２の図示しないＤＶＤドライブに記録媒体４が挿入されていないか（ディスクエラーか）を判断する（ＳＴ８０６）。
【００７０】
記録媒体４が挿入されていない（ＳＴ８０６でＹＥＳ）のときには、移動元のコンテンツのデータを消去せずに残し（ＳＴ８０７）、処理を終了する。
【００７１】
記録媒体４が挿入されている（ＳＴ８０６でＮＯ）のときには、図９（Ｄ）に示すように、ディスクエラーが発生したことを知らせ再び移動（コピー）を実行するかどうかを選択させるための選択表示画面３Ｂを表示装置３に表示させる（ＳＴ８０８）。
【００７２】
情報記録装置２は、図９（Ｄ）に示す選択表示画面３Ｂでのユーザからの入力信号に基づき、再びコンテンツを移動するか否かを判断する（ＳＴ８０９）。
【００７３】
図９（Ｄ）に示す選択表示画面３Ｂでユーザが「はい」を選択したとき（ＳＴ８０９でＹＥＳ）には、情報記録装置２は、ＨＤＤ１０に記憶されたままのコンテンツの情報を、再び記録媒体４に記録し（ＳＴ８１０）、ステップ８０２に戻り以降の処理を実行する。
【００７４】
図９（Ｄ）に示す選択表示画面３Ｂでユーザが「いいえ」を選択したとき（ＳＴ８０９でＮＯ）には、情報記録装置２は、移動（コピー）処理を実行せずに処理を終了する。
【００７５】
このように本実施形態によれば、情報記録装置２のＨＤＤ１０に記憶されているコピーガード設定がされたコンテンツの情報を記録再生処理部１１により記録媒体４に記録し（ＳＴ８０１）、ＨＤＤ１０に記憶されたコンテンツから抽出された図７に示す画像特徴点および音声特徴点の情報と、記録媒体４に記録されたコンテンツから抽出された画像特徴点および音声特徴点の情報とを比較し（ＳＴ８０３）、それぞれの特徴が一致している場合（ＳＴ８０４のＹＥＳ）に記録媒体４の情報が再現可能であると判断することができる。それぞれの特徴点である画面転換時点ａ１や盛上り時点ｂ１を比較するので、少なくとも画面転換時点ａ１や盛上り時点ｂ１などについて欠陥のない再生可能な記録媒体４を得ることができる。記録媒体４の情報が再現可能であると判断されたときに（ＳＴ８０４でＹＥＳ）、ＨＤＤ１０に記憶されているコンテンツの情報を消去する（Ｓ８０５）ので、情報を確実に記録媒体４に記録（移動）することができる。
【００７６】
情報記録装置２の不良や記録媒体４の不良などの理由で、移動が失敗しても（ＳＴ８０４でＮＯ）、情報記録装置２は、移動元のデータを消去せずに残したり（ＳＴ８０７）、再移動することができるようにしたりする（ＳＴ８０８）。この結果、再移動する（ＳＴ８１０）ことで、移動時のコンテンツを確実に移動することができる。
【００７７】
コピーガード設定がない場合（ＳＴ２０２でＮＯ）、つまりコピーガード（コピープロテクト）のモードがコピーフリーの場合には、図８に示すＳＴ８０１〜ＳＴ８０４を実行し、特徴点が一致する場合（ＳＴ８０４でＹＥＳ）に、コピー完了と判断し、ＳＴ８０５を実行せずに図８の処理を終了するようにすればよい。
【００７８】
これにより、コピーガードの設定がコピーフリーの場合にも、特徴点が一致したコンテンツを確実にコピーすることができる。
【００７９】
図１０はコンテンツの移動中におけるエラー別の制御一覧を示す図である。  
図１０では、エラーの種類が行方向に記載されコンテンツの移動（コピー）中の分割された期間が列方向に記載されている。
【００８０】
図１０に示すように、エラーの種類としては、例えばユーザによる情報記録装置２の停止、記録処理側のエラー、再生処理側のエラー、停電（復旧時に光ディスクあり）、停電（復旧時に光ディスクあり）復旧エラーおよび停電（復旧時に光ディスクなし）が挙げられる。
【００８１】
コンテンツの移動（コピー）中の期間としては、移動（コピー）を開始してから音声情報および画像情報を記録媒体４に記録するまでの期間（１）、期間（１）の後インフォメーションファイル（タイトルやメニューや字幕などの情報が含まれるファイル）が記録媒体４に記録される前の期間（２）、インフォメーションファイルが記録媒体４に記録された後移動元のデータの消去が開始される前の期間（３）、および移動元のデータを消去している期間（４）が挙げられる。
【００８２】
図１０に示すように、例えば「ユーザーによる情報記録装置２の停止」（１行目）が起きた場合には、期間（１）では記録先のデータを消去し記録元のデータを残し、期間（２）および期間（３）では記録先の記録をやりきり（タイトルを完成）記録元のデータを消去し、期間（４）では記録先のデータを残し記録元のデータを消去する。
【００８３】
「記録処理側のエラー」（２行目）が起きた場合には、期間（１）、期間（２）および期間（３）で記録先のデータを消去し記録元のデータを残す。
【００８４】
「再生処理側のエラー」（３行目）が起きた場合には、期間（１）では記録先のデータを消去し記録元のデータを残す。
【００８５】
「停電（復旧時に光ディスクあり）」（４行目）が起きた場合には、期間（１）および期間（２）では記録先のデータを消去し記録元のデータを残し、期間（３）では記録先の記録をやりきり（タイトルを完成）記録元のデータを消去し、期間（４）では記録先のデータを残し記録元の情報を消去する。
【００８６】
「停電（復旧時に光ディスクあり）復旧エラー」（５行目）が起きた場合には、期間（１）、（２）および（３）では記録先に対しては対処不可であり記録元の情報を残す。
【００８７】
「停電（復旧時に光ディスクなし）」（６行目）が起きた場合（すなわち、ディスクエラーが発生した場合）には、期間（１）、（２）、（３）および（４）で記録先に対して対処不可であるが、記録元のデータを消去することなく残すことができる。このように図１０の最下段の場合には、本発明により記録元のデータを残し、後で再びデータの移動を行うことができる。
【００８８】
なお、本発明は以上説明した実施の形態には限定されるものではなく、本発明の技術思想の範囲内で種々の変形が可能である。
【００８９】
上記実施の形態では、図２に示すように、ＨＤＤ１０にコンテンツを録画（ＳＴ２０１）してから録画したコンテンツの特徴点を抽出（ＳＴ２０４）する例を示した。しかし、例えば情報記録装置２の記録再生処理部１１がＨＤＤ１０にコンテンツの情報を記憶している最中（録画中）に、既にＨＤＤ１０に記憶された画像情報および音声情報から抽出可能な画像特徴点および音声特徴点を抽出することが好ましい。
【００９０】
これにより、ＨＤＤ１０へのコンテンツの録画を開始してから図７に示す画像特徴点および音声特徴点を抽出するまでにかかる時間を短縮することができる。
【００９１】
上記実施の形態では、図８に示すように、ＨＤＤ１０のコンテンツを記録媒体４に記録（ＳＴ８０１）してから記録媒体４に記録されたコンテンツの特徴点を抽出（ＳＴ８０２）する例を示した。しかし、例えば情報記録装置２の記録再生処理部１１が記録媒体４にコンテンツの情報を記憶している最中（移動中）に、既に記録媒体４に記憶された画像情報および音声情報から抽出可能な画像特徴点および音声特徴点を抽出することが好ましい。
【００９２】
これにより、記録媒体４への情報の記録を開始してから画像特徴点および音声特徴点を抽出するまでにかかる時間を短縮することができる。
【００９３】
上記実施の形態では、情報記録装置２のＨＤＤ１０から記録媒体４にコンテンツを移動（コピー）する例を示した。しかし、図示しないインターフェース（ＩＥＥＥ１３９４）を介して情報記録装置２に接続されたデジタルリビングネットワークアライアンス（DLNA with W/DTCP）対応の別の記録装置にコンテンツを移動（コピー）するようにしてもよい。
【００９４】
上記実施の形態では、画像特徴点として画面転換時点ａ１などを例示し、音声特徴点として盛上り時点ｂ１などを例示した。しかし、画像特徴点は、画面転換時点ａ１などとは異なる情報にシステム設定変更することができるようにすると共に、音声特徴点は、盛上り時点ｂ１などとは異なる情報にシステム設定変更することができるようにしてもよい。
【００９５】
つまり、音声特徴点として例えば特定の周波数パターンの音が発生している特定周波数発生時点を採用したり、画像特徴点として例えば他の時点より輝度が大きいタイトル表示時点を採用したりしてもよい。
【図面の簡単な説明】
【００９６】
【図１】本発明の一実施形態に係る情報記録システムのブロック図である。
【図２】録画したコンテンツを記録媒体に移動するか否かの移動確認画面を表示するための動作を説明するフローチャートである。
【図３】図３は図２に示す処理で表示装置に表示された移動確認画面の図である。
【図４】図２のステップ２０４で実行されるコンテンツの特徴点データを抽出する処理の動作を説明するためのフローチャートである。
【図５】図４のステップ４０１および４０２で得られる画像特徴点および音声特徴点のデータを示す図である。
【図６】図４のステップ４０３で得られるＮブロックに別けた画像特徴点および音声特徴点のデータを示す図である。
【図７】図４に示すフローチャートで得られた画像特徴点および音声特徴点のデータの一覧を示す図である。
【図８】録画したコンテンツを移動（またはコピー）する処理の動作を説明するフローチャートである。
【図９】図８のステップに対応する表示画面の図である。
【図１０】コンテンツの移動中におけるエラー別の制御一覧を示す図である。
【符号の説明】
【００９７】
ａ１、ａ２、ａ３、ａ４、ａ５、ａ７、ａ８  画面転換時点
ｂ１、ｂ２、ｂ３、ｂ４  盛上り時点
１  情報記録システム
２  情報記録装置
３  表示装置
４  記録媒体
５  チューナ
６  受信処理部
７  ＣＰＵ
１０  ＨＤＤ
１１  記録再生処理部
１２  第１の特徴点記憶部
１３  第２の特徴点記憶部
【図１】
0004556990.tif 000002
【図２】
0004556990.tif 000003
【図３】
0004556990.tif 000004
【図４】
0004556990.tif 000005
【図５】
0004556990.tif 000006
【図６】
0004556990.tif 000007
【図７】
0004556990.tif 000008
【図８】
0004556990.tif 000009
【図９】
0004556990.tif 000010
【図１０】
0004556990.tif 000011